(57)【要約】【課題】ライニングタンクノズル部、ライニングタンクノズル部に挿入される挿入管、ライニング配管等を洗浄することができる洗浄装置及び洗浄方法を提供する。【解決手段】リング状の洗浄装置本体１２と、洗浄装置本体１２に設けられ洗浄装置本体１２の内部に洗浄液を供給する洗浄液供給口１４と、洗浄装置本体１２に設けられ洗浄液供給口１４から供給された洗浄液を洗浄装置本体１２の径方向内側に向かって噴射する洗浄液噴射口１６と、を有する。【選択図】      図２
2015211961.tif 000002
【特許請求の範囲】
【請求項１】
リング状の洗浄装置本体と、
前記洗浄装置本体に設けられ、前記洗浄装置本体の内部に洗浄液を供給する洗浄液供給口と、
前記洗浄装置本体に設けられ、前記洗浄液供給口から供給された洗浄液を前記洗浄装置本体の径方向内側に向かって噴射する洗浄液噴射口と、
を有することを特徴とする洗浄装置。
【請求項２】
前記洗浄装置本体は、
前記洗浄液供給口から供給された洗浄液を前記洗浄液噴射口へ導く洗浄液供給部材と、
前記洗浄液供給部材に組み合わせられる補強部材と、
を有することを特徴とする請求項１に記載の洗浄装置。
【請求項３】
前記洗浄液供給部材は、フッ素樹脂で構成され、
前記補強部材は、金属で構成されていることを特徴とする請求項２に記載の洗浄装置。
【請求項４】
前記洗浄液噴射口は、前記洗浄装置本体の径方向外側から径方向内側に向かって上り傾斜していることを特徴とする請求項１乃至３のいずれか１項に記載の洗浄装置。
【請求項５】
前記洗浄装置は、タンクのノズル部に設置されて当該ノズル部の内部を洗浄することを特徴とする請求項1乃至４のいずれか1項に記載の洗浄装置。
【請求項６】
請求項１乃至４のいずれか１項に記載の洗浄装置をノズル部に設置して洗浄液噴射口から洗浄液を噴射させることにより前記ノズル部の内側を洗浄することを特徴とする洗浄方法。
【発明の詳細な説明】
【技術分野】
【０００１】
本発明は、例えば薬剤等の製造工程において使用される反応タンク及び配管（直管）等のライニング部材を洗浄するための洗浄装置及び洗浄方法に関する。
【背景技術】
【０００２】
反応塔、反応槽、貯留槽、輸送用及び貯留用タンク類、液体用コンテナ、化学薬品や電子部品用の容器、並びに配管部品等のライニング材として好適な耐薬品性シート（例えば、ＰＴＦＥ製）をライニング加工したライニング部材や、化学工業や食品工業等のプラントでは、反応器や貯蔵タンク、並びに配管部品などの内壁面の腐食を防止するために、これらの内壁面にライニングガラス層が被覆されているライニング部材などがある。
【０００３】
これらのライニング部材の洗浄方法としては、シャワーノズルやシャワーボールでタンク内を洗浄するものはあったが、タンクに設けられるノズル部や配管部品を洗浄するものはなかった。
【０００４】
ノズル部は、例えば、撹拌棒を挿入したり、薬液供給管を挿入したり、のぞき窓や照明窓として使用するために設置される。
【０００５】
既存のライニング部材に容易に適応でき、ノズル部、ノズル部に挿入される攪拌棒や、挿入管、並びに配管部品内部等を洗浄できるものが要望されている。
【先行技術文献】
【特許文献】
【０００６】
【特許文献１】特開平８−８９９１９号公報
【特許文献２】特開昭６３−７７５６１号公報
【発明の概要】
【発明が解決しようとする課題】
【０００７】
そこで、本発明は、上記事情に鑑み、ノズル部（のぞき窓や照明窓を含む）ノズル部に挿入される攪拌棒、挿入管、並びに配管部品内部等を洗浄することができる洗浄装置及び洗浄方法を提供することを目的としている。
【課題を解決するための手段】
【０００８】
第１の発明は、リング状の洗浄装置本体と、前記洗浄装置本体に設けられ、前記洗浄装置本体の内部に洗浄液を供給する洗浄液供給口と、前記洗浄装置本体に設けられ、前記洗浄液供給口から供給された洗浄液を前記洗浄装置本体の径方向内側に向かって噴射する洗浄液噴射口と、を有する洗浄装置である。
【０００９】
前記洗浄装置本体は、前記洗浄液供給口から供給された洗浄液を前記洗浄液噴射口へ導く洗浄液供給部材と、前記洗浄液供給部材に組み合わせられる補強部材と、を有する。
【００１０】
前記洗浄液供給部材は、フッ素樹脂で構成され、前記補強部材は、金属で構成されている。
【００１１】
前記洗浄液噴射口は、前記洗浄装置本体の径方向外側から径方向内側に向かって上り傾斜している。
【００１２】
前記洗浄装置は、タンクのノズル部に設置されて当該ノズル部の内部を洗浄するタンクノズル用洗浄装置である。
【００１３】
第２の発明は、本発明の洗浄装置をノズル部に設置して洗浄液噴射口から洗浄液を噴射させることにより前記ノズル部の内側を洗浄する洗浄方法である。
【発明の効果】
【００１４】
第１の発明によれば、洗浄装置本体がタンクのノズル部に設置され、洗浄液供給口から供給された洗浄液が洗浄液噴射口から洗浄装置本体の径方向内側に向かって噴射される。これにより、洗浄液がノズル部の内側に注がれ、ノズル部が洗浄される。
【００１５】
また、補強部材が洗浄液供給部材に組み付けられているため、洗浄装置をタンクのノズル部に設置したときに洗浄装置本体に圧縮荷重が作用した場合でも、補強部材が圧縮荷重に対抗する。これにより、洗浄装置本体の強度が強くなる。
【００１６】
また、洗浄液供給部材がフッ素樹脂で構成されているため、耐薬品性を有し、洗浄液の高い純粋性を維持できる。補強部材が金属で構成されているため、補強部材の強度が高くなる。
【００１７】
また、洗浄液噴射口が浄装置本体の径方向外側から径方向内側に向かって上り傾斜していることにより、洗浄液が重力に対抗する方向に噴射される。これにより、洗浄液の飛距離が増し、拡散性が高くなる。この結果、ノズル部の内側の広い領域に洗浄液が注がれ、洗浄効果が高なる。
【００１８】
第２の発明によれば、本発明の洗浄装置をノズル部に設置して洗浄液噴射口から洗浄液を噴射させることによりノズル部の内側の洗浄が容易になる。
【００１９】
なお、本発明によれば、タンクノズルの内部洗浄のみならず、ライニング配管（直管）の内部を洗浄することが可能である。
【図面の簡単な説明】
【００２０】
【図１】本発明の第１実施形態の洗浄装置の側面図である。図である。
【図２】図１のＡ−Ａ間で切断した断面図である。
【図３】図１のＢ−Ｂ間で切断した断面図である。
【図４】本発明の第１実施形態の洗浄装置をタンクに設置してノズル部を洗浄するときの図である。
【図５】本発明の第１実施形態の洗浄装置をタンクに設置してノズル部に挿入された配管等の挿入部材を洗浄するときの図である。
【図６】本発明の洗浄装置の洗浄液供給口にフランジを接続した状態の縦断面図である。
【発明を実施するための形態】
【００２１】
次に、本発明の一実施形態に係る洗浄装置及び洗浄方法について説明する。なお、本発明の洗浄装置及び洗浄方法は、例えばタンクノズル又は配管といったライニング部材の洗浄に用いられるものであるが、用途は特に限定されるものではない。ただし、以下の実施形態では、タンクノズル用の洗浄装置の構成を一例として説明する。
【００２２】
図４及び図５に示すように、洗浄装置１０は、タンク３０のノズル部３２に設置されてノズル部３２の内部を洗浄するものである。
【００２３】
洗浄液として、水や揮発性液体などの有機溶媒、又はこれらの混合物等が使用される。
【００２４】
図１乃至図３に示すように、洗浄装置１０は、主として、タンク３０のノズル部３２に設置されるリング状の洗浄装置本体１２と、洗浄装置本体１２に設けられ洗浄装置本体１２の内部に洗浄液を供給する洗浄液供給口１４と、洗浄装置本体１２に設けられ洗浄液供給口１４から供給された洗浄液を洗浄装置本体１２の径方向内側に向かって噴射する洗浄液噴射口１６と、を有している。
【００２５】
洗浄装置本体１２は、全体としてリング状に形成され、洗浄液供給口１４から供給された洗浄液を洗浄液噴射口１６へ導く洗浄液供給部材１８と、洗浄液供給部材１８に組み合わせられる補強部材２０と、を有している。
【００２６】
洗浄液供給部材１８は、全体としてリング状に形成され、一例としてフッ素樹脂で構成されていることが好ましい。
【００２７】
ここで、フッ素樹脂として、例えば、耐薬品性に優れかつ耐熱性に優れるフッ素樹脂であることが好ましく、例えば、ポリテトラフルオロエチレン(PTFE)、テトラフルオロエチレン／ヘキサフルオロプロピレン共重合体(FEP)、テトラフルオロエチレン／パーフルオロ(アルキルビニルエーテル)共重合体(PFA)、ポリフッ化ビニリデン(PVDF)、ポリフッ化ビニル(PVA)、エチレン／テトラフルオロエチレン共重合体(ETFE)などが挙げられる。
【００２８】
また、ＰＴＦＥは、テトラフルオロエチレンのホモポリマー、または１重量％未満の微量のヘキサフルオロプロピレン、フルオロアルコキシトリフルオロエチレン、フルオロアルキルエチレン、クロロトリフルオロエチレン等の変性剤を含有する変性ＰＴＦＥであってもよい。
【００２９】
特に、薬液の低透過性と耐ストレスクラック性に優れる点からＰＴＦＥ、さらに耐クリープ性に優れ、成形時の溶接強度が強い点から、変性ＰＴＦＥが好ましい。
【００３０】
なお、洗浄液供給部材１８は、フッ素樹脂および導電性充填材を含んでなる帯電防止フッ素樹脂が特に好ましい。好ましい材料例、配合量、製法は公知の技術であり、特開２００８−４７６２号等に基づく。洗浄液供給部材１８が帯電防止フッ素樹脂で構成されることにより、洗浄液流通流路２２などの洗浄装置内部やタンクノズル３２などのライニング部材内を洗浄液が流れる際の摩擦により発生する静電気が帯電することを防ぐことができ、特に、洗浄液が揮発性流体の場合に、洗浄液噴射口１６の帯電による洗浄液の発火や爆発を防ぐことができる。
【００３１】
洗浄液供給部材１８には、洗浄液供給口１４と洗浄液噴射口１６とを連通するための洗浄液流通路２２が形成されている。洗浄液流通路２２は、リング状に形成されており、洗浄液が流通する。洗浄液供給部材１８及び洗浄液流通路２２は、樹脂を切削加工あるいは射出成型等の手法により形成される。
【００３２】
洗浄液供給部材１８のフランジ接合端面には、洗浄液供給部材１８の軸方向中心側へ向かって傾斜した第１傾斜面２４と、第１傾斜面２４に接続して形成され洗浄液供給部材１８の径方向内側に向かって傾斜した第２傾斜面２６と、が形成されている。
【００３３】
第１傾斜面２４が形成されていることにより、洗浄液供給部材１８が圧縮荷重を受けて圧縮変形したときに第１傾斜面２４でこの変形が吸収される。このため、洗浄液噴射口１６が圧縮荷重によって変形し、あるいは潰れることが抑制される。
【００３４】
第２傾斜面２６が形成されていることにより、洗浄液噴射口１６が第２傾斜面２６に形成することにより、洗浄液噴射口１６が上方側（重力作用方向上流側）を向く。これにより、洗浄液が上方側へ向けて噴射される。
【００３５】
補強部材２０は、例えば、金属で構成されている。補強部材２０は、例えば２つに分割される分割リングで構成されている。分割リングが洗浄液供給部材１８に装着された後、分割リング同士が例えば、ボルト等の固着具２８により相互に固定される。
【００３６】
洗浄液供給口１４は、例えば開口接続部で構成されており、外部の洗浄液供給設備（図示省略）に接続される。外部の洗浄液供給設備から洗浄液供給口１４に洗浄液が供給される。洗浄液供給口１４は、洗浄液流通路２２に連通している。
【００３７】
洗浄液噴射口１６は、洗浄液供給口１４に供給された洗浄液が洗浄装置本体１２の径方向内側に向かって噴射される開口部である。洗浄液噴射口１６は、洗浄液流通路２２に連通している。
【００３８】
ここで、洗浄液噴射口１６は、洗浄装置本体１２の径方向外側から径方向内側に向かって上り傾斜するように形成されている。すなわち、洗浄液噴射口１６の一端部は、洗浄液流通路２２に接続され、他端部が第２傾斜面２６に接続され、全体として上り傾斜するようにして形成されている。
【００３９】
洗浄液噴射口１６は、単数又は複数形成されている。特に、洗浄液噴射口１６がリング状の洗浄装置本体１２の円周上に一定間隔をおいて複数形成されることにより、複数の口からそれぞれ洗浄装置本体１２の外周方向に洗浄液が噴射され、洗浄効果が高くなる。また、洗浄液噴射口１６の形状および大きさは特に限定されず、例えば、洗浄装置本体１２の形状や洗浄対象範囲、必要とする洗浄液流量や噴射圧等の噴射条件に合わせて設計することができる。
【００４０】
次に、本発明の一実施形態に係る洗浄装置及び洗浄方法の作用効果について説明する。
【００４１】
洗浄装置１０は、図４及び図５に示すように、例えばタンク３０のノズル部３２のフランジ３４に締付け固定される。洗浄装置１０が全体としてリング状に形成されているため、ノズル部３２に容易に装着できる。
【００４２】
このとき、洗浄装置１０に対してフランジからの圧縮荷重が作用するが、補強部材２０により圧縮荷重に対抗できる。例えば、ノズル部３２に装着される薬液供給管等が重く、洗浄装置本体１２に大きな荷重がかかる場合であっても、洗浄液供給部材１８の樹脂のクリープによる変形を抑制し、長期に渡り安定した洗浄液噴出を可能にする。
【００４３】
洗浄装置１０の洗浄液供給口１４より供給された洗浄液（水や洗浄薬液）が、洗浄液流通路２２を通って洗浄液噴射口１６から噴射される。これにより、洗浄液がノズル部３２の内側面またはノズル部３２に装着されたのぞき窓、若しくはノズル部３２に装着されタンク内に挿入されている薬液供給管、撹拌棒、バッフル板などの挿入部材３６に注がれて洗浄される。
【００４４】
ここで、洗浄液噴射口１６が洗浄装置本体１２の径方向外側から径方向内側に向かって上り傾斜していることにより、洗浄液が重力に対抗する方向に打ち上げられる。これにより、洗浄液の飛距離が増し、洗浄装置本体１２の設置場所からより高い位置まで洗浄液を噴射することが可能となり、拡散性が高くなる。この結果、ノズル部３２の内側の広い領域に洗浄液が注がれ、洗浄効果が高なる。
【００４５】
本発明によれば、タンクノズルの内部洗浄のみならず、ライニング配管（直管）の内部を洗浄することが可能である。
【００４６】
なお、ノズル部の位置は、図４及び図５に示すタンク上部の外側位置に限らず、タンク上部の中心位置や、タンク側面などに配置されていてもよく、特定されない。
【００４７】
ここで、洗浄装置１０の使用時の一例として、図６に示すように、洗浄装置１０の洗浄液供給口１４にフランジ３８を接続して使用してもよい。
【符号の説明】
【００４８】
１０      洗浄装置
１２      洗浄装置本体
１４      洗浄液供給口
１６      洗浄液噴射口
１８      洗浄液供給部材
２０      補強部材
２２      洗浄液流通路
２４      第１傾斜面
２６      第２傾斜面
２８      固着具
３０      タンク
３２      ノズル部
３４      フランジ
３６      挿入部材
３８      フランジ
【図１】
2015211961.tif 000003
【図２】
2015211961.tif 000004
【図３】
2015211961.tif 000005
【図４】
2015211961.tif 000006
【図５】
2015211961.tif 000007
【図６】
2015211961.tif 000008